(57)【要約】【課題】操作性の向上を実現できるようにする。【解決手段】操作部３２の操作スイッチに対して撮像データのストリーミング転送機能を割り当てる。制御部３１０は、割り当てられたストリーミング転送機能の動作状態を、操作スイッチの操作継続時間に応じて切り替える。操作スイッチには照明部を設けて、ストリーミング転送機能の動作状態に応じて操作スイッチの照明の切り換えを行う。例えば停止状態である場合に照明が消灯されて、待機状態である場合には第１の色、実行状態である場合には第１の色とは異なる第２の色で照明を行う。また、待機状態と実行状態では照明を点灯させて、停止状態と待機状態間での状態切り換え中は照明を点滅させる。撮像データのストリーミング転送の操作性を向上できる。【選択図】        図４
2020115680.tif 000002
【特許請求の範囲】
【請求項１】
撮像データの通信に関する機能が割り当てられて、前記割り当てられた割当機能の動作状態を切り換えるための操作スイッチと、
前記撮像データの通信を行う通信部と、
前記操作スイッチの操作継続時間に応じて、前記割当機能を、前記通信部への電力供給が停止されている停止状態と前記通信部への電力供給を行い前記撮像データの通信を可能として待機する待機状態と前記撮像データの通信を行う実行状態との間で切り換える制御部と
を備える撮像装置。
【請求項２】
前記制御部は、前記操作スイッチの操作継続時間が予め設定された閾値を超えたとき、前記割当機能を前記停止状態と前記待機状態との間で切り換えを行い、前記待機状態における前記操作継続時間が前記閾値以下であるとき、前記待機状態から前記実行状態への切り換えを行い、前記実行状態における前記操作スイッチの操作に応じて前記実行状態から前記待機状態への切り換えを行う
請求項１に記載の撮像装置。
【請求項３】
前記操作スイッチの割当機能を変更可能とした
請求項１に記載の撮像装置。
【請求項４】
前記操作スイッチに割り当て可能な機能は、前記撮像データの受信側から通信機能制御を受け入れる機能である
請求項１に記載の撮像装置。
【請求項５】
前記操作スイッチに割り当て可能な機能は、撮像終了時点で生成した撮像データの転送処理機能である
請求項１に記載の撮像装置。
【請求項６】
前記操作スイッチに割り当て可能な機能は、前記撮像データのストリーミング転送機能である
請求項１に記載の撮像装置。
【請求項７】
前記操作スイッチに割り当て可能な機能は、前記撮像データの通信に代えて転送候補の前記撮像データを示すリストの編集を行う編集機能である
請求項１に記載の撮像装置。
【請求項８】
前記操作スイッチに照明部を設け、
前記制御部は、前記照明部を制御して前記割当機能の状態に応じて前記操作スイッチの照明を切り換える
請求項１に記載の撮像装置。
【請求項９】
前記制御部は、前記停止状態である場合に照明を消灯し、前記待機状態である場合に第１の色で照明を行い、前記実行状態である場合に前記第１の色とは異なる第２の色で照明を行う
請求項８に記載の撮像装置。
【請求項１０】
前記制御部は、前記待機状態と前記実行状態では照明を点灯させて、前記停止状態と前記待機状態間での状態切り換え中は前記照明を点滅させる
請求項８に記載の撮像装置。
【請求項１１】
前記操作スイッチは、ビューファインダからユーザが目を外すことに応じて前記ユーザの視界に入る装置本体の側面の領域に設けた
請求項１に記載の撮像装置。
【請求項１２】
撮像データの通信に関する機能を操作スイッチに割り当てることと、
前記操作スイッチに割り当てられた割当機能の動作状態を、前記操作スイッチの操作継続時間に応じて、前記撮像データの通信を行う通信部への電力供給が停止されている停止状態と前記通信部への電力供給を行い前記撮像データの通信を可能として待機する待機状態と前記撮像データの通信を行う実行状態との間で切り換えることと
を含む撮像装置の制御方法。
【請求項１３】
撮像装置の制御をコンピュータで実行させるプログラムであって、
前記撮像装置に設けられている操作スイッチに割り当てられた撮像データの通信に関する機能の動作状態を、前記操作スイッチの操作継続時間に応じて、前記撮像データの通信を行う通信部への電力供給が停止されている停止状態と前記通信部への電力供給を行い前記撮像データの通信を可能として待機する待機状態と前記撮像データの通信を行う実行状態との間で切り換える手順
を前記コンピュータで実行させるプログラム。
【発明の詳細な説明】
【技術分野】
【０００１】
この技術は撮像装置とその制御方法およびプログラムに関し、省電力化と操作性の向上を実現できるようにする。
【背景技術】
【０００２】
近年、撮像装置では、撮像データを記録媒体に記録するだけでなく、ネットワークを介してサーバ等に撮像中または撮像済みの撮像データを転送する機能が設けられている。また、通信機能を有した電子機器では、簡単にネットワークと接続でき、且つ、意図しない接続を行わない技術が開示されている。例えば特許文献１では、有線通信インタフェースに有線ケーブルが接続されているか否かに応じて無線通信インタフェースの利用が制御されている。
【先行技術文献】
【特許文献】
【０００３】
【特許文献１】特許第４９２２８４８号公報
【発明の概要】
【発明が解決しようとする課題】
【０００４】
ところで、撮像装置に設けられた撮像データの転送機能では、撮像データの転送時以外でも、安定的な通信路を確保するための動作が行われて電力が消費されてしまう。このため、バッテリー駆動の撮像装置では、撮像可能時間が短くなってしまうおそれがある。また、有線通信インタフェースが設けられていない撮像装置では、有線ケーブルが接続されているか否かに応じて無線通信インタフェースの利用を制御することができない。
【０００５】
そこで、この技術では省電力化と操作性の向上を実現できる撮像装置とその制御方法およびプログラムを提供することを目的とする。
【課題を解決するための手段】
【０００６】
この技術の第１の側面は、
撮像データの通信に関する機能が割り当てられて、前記割り当てられた割当機能の動作状態を切り換えるための操作スイッチと、
前記撮像データの通信を行う通信部と、
前記操作スイッチの操作継続時間に応じて、前記割当機能を、前記通信部への電力供給が停止されている停止状態と前記通信部への電力供給を行い前記撮像データの通信を可能として待機する待機状態と前記撮像データの通信を行う実行状態との間で切り換える制御部と
を備える撮像装置にある。
【０００７】
この技術では、例えばビューファインダからユーザが目を外すことに応じてユーザの視界に入る装置本体の側面の領域に設けた操作スイッチに、撮像データの通信に関する機能が割り当てられる。また、この操作スイッチに割り当てられた割当機能の動作状態が操作スイッチの操作継続時間に応じて切り換えられる。例えば操作スイッチの操作継続時間が予め設定された閾値を超えたとき、割当機能を、通信部への電力供給が停止されている停止状態と通信部への電力供給を行い撮像データの通信を可能として待機する待機状態との間で切り換えを行う。また、待機状態における操作継続時間が閾値以下であるとき、待機状態から撮像データの通信を行う実行状態への切り換えを行い、実行状態における操作スイッチの操作に応じて実行状態から待機状態への切り換えを行う。
【０００８】
操作スイッチの割当機能は変更可能であり、例えば撮像データの受信側から通信機能制御を受け入れる機能、撮像終了時点で生成した撮像データの転送処理機能、撮像データのストリーミング転送機能、撮像データの通信に代えて転送候補の撮像データを示すリストの編集を行う編集機能の何れかが選択可能とされている。
【０００９】
また、操作スイッチには照明部が設けられており、割当機能の動作状態に応じて操作スイッチの照明の切り換えが行われる。例えば停止状態である場合に照明が消灯されて、待機状態である場合には第１の色、実行状態である場合には第１の色とは異なる第２の色で照明が行われる。また、待機状態と実行状態では照明が点灯されて、停止状態と待機状態間での状態切り換え中は照明が点滅される。
【００１０】
この技術の第２の側面は、
撮像データの通信に関する機能を操作スイッチに割り当てることと、
前記操作スイッチに割り当てられた割当機能の動作状態を、前記操作スイッチの操作継続時間に応じて、前記撮像データの通信を行う通信部への電力供給が停止されている停止状態と前記通信部への電力供給を行い前記撮像データの通信を可能として待機する待機状態と前記撮像データの通信を行う実行状態との間で切り換えることと
を含む撮像装置の制御方法にある。
【００１１】
この技術の第３の側面は、
撮像装置の制御をコンピュータで実行させるプログラムであって、
前記撮像装置に設けられている操作スイッチに割り当てられた撮像データの通信に関する機能の動作状態を、前記操作スイッチの操作継続時間に応じて、前記撮像データの通信を行う通信部への電力供給が停止されている停止状態と前記通信部への電力供給を行い前記撮像データの通信を可能として待機する待機状態と前記撮像データの通信を行う実行状態との間で切り換える手順
を前記コンピュータで実行させるプログラムにある。
【００１２】
なお、本技術のプログラムは、例えば、様々なプログラム・コードを実行可能な汎用コンピュータに対して、コンピュータ可読な形式で提供する記憶媒体、通信媒体、例えば、光ディスクや磁気ディスク、半導体メモリなどの記憶媒体、あるいは、ネットワークなどの通信媒体によって提供可能なプログラムである。このようなプログラムをコンピュータ可読な形式で提供することにより、コンピュータ上でプログラムに応じた処理が実現される。
【発明の効果】
【００１３】
この技術によれば、操作スイッチに対して撮像データの通信に関する機能が割り当てられる。また、割り当てられた機能の動作状態は、操作スイッチの操作継続時間に応じて、撮像データの通信を行う通信部への電力供給が停止されている停止状態と通信部への電力供給を行い撮像データの通信を可能として待機する待機状態と撮像データの通信を行う実行状態との間で切り換えられる。したがって、例えば撮像データの通信を行わない場合には割当機能の動作状態を停止状態とすることで省電力化を実現できる。さらに、操作スイッチの操作継続時間に応じて割当機能の動作状態の切り換えを行うことができることから、撮像装置の操作性を向上できる。なお、本明細書に記載された効果はあくまで例示であって限定されるものではなく、また付加的な効果があってもよい。
【図面の簡単な説明】
【００１４】
【図１】撮像装置の外観を例示した図である。
【図２】撮像装置の左側面の前方に設けられた操作部を拡大した図である。
【図３】押しボタンスイッチとユーザの位置関係を示した図である。
【図４】撮像装置の機能ブロックを例示した図である。
【図５】押しボタンスイッチの操作と割当機能の動作状態との関係を説明するための図である。
【図６】割当機能の動作状態の切り換えを例示したフローチャートである。
【発明を実施するための形態】
【００１５】
以下、本技術を実施するための形態について説明する。なお、説明は以下の順序で行う。
１．撮像装置の外観構成
２．撮像装置の機能構成
３．撮像装置の動作
【００１６】
＜１．撮像装置の外観構成＞
図１は、本技術の撮像装置の外観を例示した図であり、例えば撮像装置の左側面を示している。
【００１７】
撮像装置１０は、レンズユニット２０、装置本体３０、ビューファインダ６０、マイクロフォン７０等で構成されている。
【００１８】
レンズユニット２０は、装置本体３０の前面に取り付けられている。レンズユニット２０は、被写体からの光を集光する撮像レンズや撮像レンズの光学倍率を所定の範囲で可変するズーム機構等を有している。
【００１９】
装置本体３０の上面にはハンドル部３３が形成されている。ハンドル部３３は、ユーザが撮像装置１０を持ち歩く際や撮像装置１０を低い位置で用いる際に、撮像装置１０を保持するためにユーザが手で握ることができるように設けられている。ハンドル部３３の前端側の左側面にはビューファインダ６０、右側面にはマイクロフォン７０が設けられている。ビューファインダ６０は、カメラスルー画像や記録媒体に記録されている画像、メニュー画像、種々の情報等を表示する。マイクロフォン７０は、周囲音を集音して音声信号を生成する。
【００２０】
装置本体３０の後面には、撮像装置１０を動作させるために必要な電力を供給するバッテリー８０が装着される。
【００２１】
装置本体３０の左側面の前方には操作部３２ａ、後方には操作部３２ｂが設けられている。操作部３２ａには予め機能が固定されている操作スイッチや、機能の割り当てをユーザが行える操作スイッチであるアサイナブルスイッチ等で構成されている。
【００２２】
図２は、撮像装置の左側面の前方に設けられた操作部を拡大した図である。操作部３２ａの押しボタンスイッチ３２１は、アサイナブルスイッチであり、ビューファインダ６０からユーザが目を外すことに応じてユーザの視界に入る装置本体の側面の領域に設けられている。図３は押しボタンスイッチとユーザの位置関係を示している。例えば、ユーザＰＬがビューファインダ６０のアイカップ６１から目を外してユーザＰＬの視界ＦＶに装置本体３０の左側面が入るようになったとき、ユーザＰＬの視界ＦＶに入る装置本体３０の左側面の領域ＥＡに、押しボタンスイッチ３２１が設けられている。このような位置に押しボタンスイッチ３２１を設ければ、ユーザＰＬは撮像時に頭部の位置を大きく移動することなく、押しボタンスイッチ３２１の位置や後述するように割当機能の状態を容易に確認できるようになる。押しボタンスイッチ３２１には、撮像データの通信に関する機能が割り当てられており、割り当てられた割当機能の動作状態が押しボタンスイッチ３２１のスイッチ押下操作に応じて切り換えられる。
【００２３】
また、操作部３２ａでは、押しボタンスイッチ３２１だけでなく押しボタンスイッチ３２２，３２４、スライドスイッチ３２３，３２５，３２６、操作つまみ３２７，３２８等も設けられている。押しボタンスイッチ３２２，３２４には、例えばマイクロフォン７０がステレオマイクロフォンであるときステレオ／モノラル切り換えの機能、直前に撮像したクリップを削除可能とする機能、自動追尾ホワイトバランス動作をオンオフする機能、レックレビューの機能、記録を開始または停止する機能等の何れかを割り当てることが可能とされている。スライドスイッチ３２３には，上述したステレオ／モノラル切り換えの機能、ビューファインダ６０のゼブラ表示をオンオフする機能、マーカー表示をオンオフする機能等の何れかを割り当てることが可能とされている。スライドスイッチ３２５，３２６は、２つのスイッチの聞き合わせによって内蔵スピーカやイヤホンから出力する音声が選択可能とされている。操作つまみ３２７は、内蔵スピーカやイヤホンから出力する音声の音量を調整するときに用いられる。操作つまみ３２８は、警告音の音量を調整するときに用いられる。
【００２４】
なお、図１における装置本体３０の左側面後方に位置する操作部３２ｂは、クリップを分割するための操作ボタンやカウンター表示の切り換えを行う操作ボタン等で構成されている。
【００２５】
＜２．撮像装置の機能構成＞
図４は撮像装置の機能ブロックを例示した図である。撮像装置１０の装置本体３０は、撮像部３０１、画像処理部３０２、音声処理部３０３、コーデック部３０４、記録再生部３０５、レンズ駆動部３０６、通信部３０７、音声出力部３０８、制御部３１０、電源部３１５、操作部３２等を備えている。
【００２６】
撮像部３０１は、例えばＣＭＯＳ（complementary metal-oxide semiconductor device）やＣＣＤ（Charge−Coupled Device）等の撮像素子を用いて構成されている。撮像部３０１は、レンズユニット２０によって撮像面に結像された光学像の光電変換を行い、撮像データを生成して画像処理部３０２に出力する。
【００２７】
画像処理部３０２は、撮像部３０１で生成された画像データに対してノイズ除去処理、ゲイン調整処理、輝度や色の調整処理を行う。また、画像処理部３０２は、調整処理後の画像データや記録再生部３０５で読み出された画像データをビューファインダ６０の画素数に対応した画像データに変換する処理やメニュー表示等の表示データを画像データに重畳する処理を行う。また、画像処理部３０２は、容易に所望の撮像画像を得られるようにビューファインダ画像に対する画像処理例えば中央部分を拡大して表示する処理等を行うようにしてもよい。音声処理部３０３は、マイクロフォンで生成された音声信号の増幅やアナログ／デジタル変換等の処理を行い、音声データを生成する。
【００２８】
コーデック部３０４は、画像処理部３０２で処理された画像データや音声処理部３０３で処理された音声データ等の符号化処理を行い、制御部３１０から指示されたデータ圧縮率で画像データや音声データのデータ量を圧縮する。コーデック部３０４は、データ圧縮後の画像データや音声データを撮像データとして記録再生部３０５や通信部３０７へ出力する。また、コーデック部３０４は、記録再生部３０５から供給された撮像データの復号化処理を行い、得られた画像データを画像処理部３０２に供給してサイズ調整等を行いビューファインダ６０に出力して、記録されている画像をユーザが確認できるようにする。また、コーデック部３０４は、復号化処理を行うことにより得られた音声データを音声出力部３０８に供給して、音声出力部３０８からの出力によって、記録されている音声を確認できるようにする。
【００２９】
記録再生部３０５は、制御部３１０からの指示に基づき、コーデック部３０４から供給された撮像データを記録媒体４０に記録する処理、記録媒体４０に記録されている撮像データを読み出してコーデック部３０４や通信部３０７へ出力する処理を行う。なお、記録媒体４０は、着脱可能な記録媒体であってもよく、装置本体３０の内部に固定して設けられた記録媒体であってもよい。また、撮像データには撮像時の設定状態や撮像データを管理するための情報等を含めてもよい。
【００３０】
レンズ駆動部３０６は、制御部３１０からの指示に基づき、レンズユニット２０を駆動して所望のズーム倍率に設定する。また、レンズ駆動部３０６は、撮像部３０１における撮像素子の撮像面に結合される光学像が鮮明な像となるようにフォーカス調整を行うようにしてもよい。
【００３１】
通信部３０７は、有線または無線の通信路を用いてネットワーク９０との接続を行う。さらに、ネットワーク９０に接続されているサーバ９５との通信路の確立を行い、サーバ９５から送信された指示や要求等を示す制御情報の受信、サーバ９５への撮像データの転送等を行えるようにする。
【００３２】
音声出力部３０８は、音声処理部３０３またはコーデック部３０４から供給された音声データのデジタル／アナログ変換等を行い、音声出力信号を生成してスピーカや音声出力端子に供給することで、記録する音声または記録された音声を確認できるようにする。
【００３３】
制御部３１０は、図示せずも例えばＣＰＵ（Central Processing Unit）、ＥＥＰＲＯＭ（Electrically Erasable Programmable ROM）、ＲＯＭ（Read Only Memory）、ＲＡＭ（Random Access Memory）などから構成されている。制御部３１０におけるＲＯＭには、制御部３１０で各種の制御処理を実行するためのプログラムが格納されている。ＣＰＵは、該プログラムに基づいて動作して、ＲＡＭを用いながら、各制御のための必要な演算・制御処理を実行する。当該プログラムは、制御部３１０に内蔵されたＲＯＭに予め格納しておく場合に限らず、リムーバブル記録媒体に格納されて装置本体３０に提供されてもよくＬＡＮやインターネット等のネットワークを介して装置本体３０にダウンロードされてもよい。
【００３４】
制御部３１０は、操作部３２に対するユーザ操作に基づき、撮像装置１０でユーザ操作に応じた動作が行われるように各部を制御する。制御部３１０は、例えば電源スイッチに対するユーザ操作に基づいて撮像装置１０の電源のオン、オフを行う。また、制御部３１０は、ズームスイッチに対するユーザ操作に基づきレンズ駆動部３０６を制御して、レンズユニット２０の焦点距離をユーザ操作に応じて変化させる。また、制御部３１０は、ＲＥＣボタンに対するユーザ操作に基づいて撮像データの記録を開始または停止する。
【００３５】
また、制御部３１０は、操作スイッチに対する機能の割り当てや、割り当てた機能の変更、機能が割り当てられた操作スイッチに対するユーザ操作に応じて割当機能を実行する制御を行う。なお、機能の割り当てが可能な操作スイッチには、上述のように撮像データの通信機能、ステレオ／モノラル切り換え機能、クリップ削除機能、自動追尾ホワイトバランス動作のオンオフ機能、レックレビュー機能等が割り当て可能とされている。
【００３６】
電源部３１５は、装置本体３０に装着されたバッテリー８０から撮像装置１０の各部に電力供給を行う。
【００３７】
操作部３２は、装置本体３０の左側面に設けられた操作部３２ａ，３２ｂの操作スイッチや、装置本体の３０の背面や上面、右側面等に設けられた操作スイッチで構成されている。操作部３２は、ユーザのスイッチ操作に応じた操作信号を生成して制御部３１０に出力する。また、操作部３２には、上述のように機能の割り当てや割り当てられた機能の変更をユーザが可能とした操作スイッチが設けられている。
【００３８】
＜３．撮像装置の動作＞
次に、押しボタンスイッチの操作と動作について説明する。押しボタンスイッチ３２１は、照明付押しボタンスイッチであり、操作部と照明部およびタクトスイッチで構成されている。操作部は例えば円形の操作面を有する遮光部３２１ａと操作面の中央に設けられた円形状のインジケータ部３２１ｂで構成されている。インジケータ部３２１ｂは光を透過する部材で構成されており、照明部はＬＥＤ（Light Emitting Diode）等の発光素子を用いて構成されており、照明部から出射された光がインジケータ部３２１ｂを介して外部に出力される。また、押しボタンスイッチの押下操作に連動してタクトスイッチのオンオフ動作が行われる。さらに、制御部は、押しボタンスイッチに割り当てられている割当機能の動作状態を、押しボタンスイッチの押下操作に応じて切り換える。また制御部は、機能の状態に応じて照明部の駆動制御を行い、インジケータ部３２１ｂを介して出力される光によって、機能の動作状態がどのような状態であるかをユーザが判別できるようにする。
【００３９】
押しボタンスイッチ３２１には、上述のように撮像データの通信に関する機能が割り当てられている。また、割当機能の動作状態としては、停止状態と待機状態および実行状態が設けられている。停止状態は、撮像データの通信を行う通信部への電力供給が停止されている状態である。待機状態は、通信部への電力供給を行いサーバとの通信路を確立して撮像データ等の通信を可能として待機している状態である。実行状態は、サーバと撮像データ等の通信を行う状態である。
【００４０】
図５は、押しボタンスイッチの操作と割当機能の動作状態との関係を説明するための図である。図５の（ａ）に示すように、例えば停止状態であるときスイッチ押下操作が行われて、操作継続時間が予め設定された閾値を超えた場合、すなわちボタン長押し操作が行われた場合、停止状態から待機状態へ切り換えを行う。また、割当機能の状態を容易に確認できるように、例えば停止状態では照明部を消灯状態として、待機状態では第１の色（例えばオレンジ色）で照明部を点灯させる。
【００４１】
次に、待機状態であるときスイッチ押下操作が行われて、操作継続時間が閾値以下である場合、すなわちボタン短押し操作が行われた場合、待機状態から実行状態への切り換えを行い、実行状態では第２の色（例えば青色）で照明部を点灯させる。また、ボタン長押し操作が行われた場合、待機状態から停止状態への切り換えを行う。実行状態であるときスイッチ押下操作が行われた場合には、実行状態から待機状態への切り換えを行う。
【００４２】
また、割当機能によっては、状態の切り換えに時間を要する場合がある。このような場合、状態の切り換え中であることを判別可能なように照明部を駆動してもよい。例えばサーバとの通信路の確立等に時間を要して、停止状態から待機状態となるまでの時間が長くなる場合には、停止状態から待機状態への切り換え中であること判別可能とするため、図５の（ｂ）に示すように、第１の色（例えばオレンジ色）で照明部を点滅させる。また、割当機能が待機状態から停止状態となるまでに時間を要する場合には、待機状態から停止状態への切り換え中であること判別可能とするため、第１の色（例えばオレンジ色）で照明部を点滅させる。
【００４３】
押しボタンスイッチ３２１に割り当て可能な機能は、変更可能とされている。表１は、押しボタンスイッチ３２１に割り当て可能な機能を例示している。
【００４４】
【表１】
2020115680.tif 000003
【００４５】
第１機能は、撮像データの受信側から撮像データの転送制御を行うことができるいわゆるクライアントモード動作の機能である。撮像装置１０は、クライアントモード動作の機能が実行状態である場合、サーバからのデータ送信要求を受け入れて撮像データをサーバに転送する。転送する撮像データは、撮像中のデータおよび撮像が完了して記録媒体に記録されているデータの何れであってもよく、サーバから指示されたデータを転送してもよい。また、撮像装置１０は、サーバからのデータ送信要求を受け入れるだけでなく制御情報を受け入れて、例えば受信までの遅延量をサーバから指定できるようにしてもよい。また、撮像中に生成する撮像データの圧縮率をサーバが指定して、コーデック部は指定した圧縮率で符号化処理を行い、通信部はコーデック部で生成された撮像データをサーバに転送してもよい。さらに、撮像装置１０は、サーバからの指示に基づいて色温度設定等の画質調整を画像処理部で行うようにしてもよい。
【００４６】
第２機能は、撮像データを自動的に転送するいわゆるオートアップロード動作の機能である。撮像装置１０は、オートアップロード動作の機能が実行状態である場合、転送待ちリストに登録された撮像データを、予めユーザ等が指定した転送先に自動的に転送する。また、撮像装置１０は、撮像中に生成した撮像データのファイルを撮像完了時に転送待ちリストに自動的に追記することで、生成した撮像データを指定した転送先に転送する。
【００４７】
第３機能は、撮像中に生成される撮像データを順次転送するいわゆるストリーミング転送動作の機能である。撮像装置１０は、ストリーミング転送動作の機能が実行状態である場合、撮像中に生成される撮像データを、予めユーザ等が指定した転送先に順次転送する。すなわち、ストリーミング転送動作の機能を実行状態として撮像を行えば、撮像開始時からストリーミング転送が可能となる。
【００４８】
第４機能は、転送待ちリストの編集を可能とする編集動作の機能である。撮像装置１０は、編集動作の機能が実行状態である場合、例えば転送待ちリストの編集画面をビューファインダ等に表示して、この編集画面を参照して、転送待ちリストに対して撮像データの追記、削除、順序変更、転送の開始、停止等を行えるようにする。
【００４９】
なお、押しボタンスイッチに割り当て可能な機能は、表１に示す４つの機能の何れかに限らず、表１で開示されていない機能、例えば色温度調整等の機能を割り当て可能として、ユーザの好みに応じた色温度を登録して使用できるようにしてもよい。また、表１に示す４つの機能における何れか複数の機能から選択的に機能を割り当て可能としてもよい。
【００５０】
図６は、割当機能の動作状態の切り換えを例示したフローチャートである。押しボタンスイッチ３２１には、表１に示す割り当て可能機能の何れか１つの機能が割り当てられており、割当機能は動作開始時に停止状態とされている。なお、押しボタンスイッチ３２１に対する機能の割り当ては、メニュー画面をビューファインダ等に表示して、メニュー画面の表示に応じて操作を行うことで機能の設定や変更が可能とされている。
【００５１】
ステップＳＴ１で制御部は、ボタン操作が行われたか判別する。制御部３１０は、押しボタンスイッチ３２１の操作が行われたか判別して、押しボタンスイッチ３２１が操作されていないと判別した場合にはステップＳＴ１に戻り、押下操作が行われたと判別した場合にはステップＳＴ２に進む。
【００５２】
ステップＳＴ２で制御部は、長押し操作であるか判別する。制御部３１０は、押しボタンスイッチ３２１に対する押下操作の操作継続時間が閾値を超えた場合に長押し操作が行われたと判別してステップＳＴ３に進む。また、制御部３１０は、操作継続時間が閾値を超える前に押下操作が終了した場合には長押し操作が行われていないと判別してステップＳＴ１に戻る。
【００５３】
ステップＳＴ３で制御部は、待機状態への切り換えを行う。制御部３１０は、割当機能を停止状態から待機状態に切り換える。制御部３１０は、通信部３０７への電力供給を開始する。また、制御部３１０はサーバ９５との通信路の確立を行い、サーバ９５との通信を速やかに行うことができる状態としてステップＳＴ４に進む。
【００５４】
ステップＳＴ４で制御部は、ボタンを第１の色で点灯する。制御部３１０は停止状態から待機状態への切り換えに伴い、押しボタンスイッチ３２１の照明部を第１の色で点灯させてステップＳＴ５に進む。
【００５５】
ステップＳＴ５で制御部は、ボタン操作が行われたか判別する。制御部３１０は、押しボタンスイッチ３２１の操作が行われたか判別して、押しボタンスイッチ３２１が操作されていないと判別した場合にはステップＳＴ５に戻り、押下操作が行われたと判別した場合にはステップＳＴ６に進む。
【００５６】
ステップＳＴ６で制御部は、短押し操作であるか判別する。制御部３１０は、押しボタンスイッチ３２１に対する押下操作の操作継続時間が閾値を超える前に終了した場合に短押し操作が行われたと判別してステップＳＴ７に進む。また、制御部３１０は、操作継続時間が閾値を超えた場合は短押し操作ではなく長押し操作が行われたと判別してステップＳＴ２５に進む。すなわち、制御部３１０は、割当機能を待機状態から実行状態へ切り換えるためにユーザが短押し操作を行った場合にはステップＳＴ７に進み、割当機能を待機状態から停止状態へ戻すためにユーザが長押し操作を行った場合にはステップＳＴ２５に進む。
【００５７】
ステップＳＴ７で制御部は、割当機能が第１機能であるか判別する。制御部３１０は、押しボタンスイッチ３２１の割当機能が第１機能（クライアントモード動作）である場合はステップＳＴ８に進み、第１機能でない場合はステップＳＴ１１に進む。
【００５８】
ステップＳＴ８で制御部は、クライアントモード動作を開始する。制御部３１０は、割当機能を待機状態から実行状態に切り換えて、撮像データの受信側から撮像データの転送制御を行うことができるクライアントモード動作を開始してステップＳＴ９に進む。
【００５９】
ステップＳＴ９で制御部は、ボタンを第２の色で点灯する。制御部３１０は待機状態から実行状態への切り換えに伴い、押しボタンスイッチ３２１の照明部を第２の色で点灯させてステップＳＴ１０に進む。
【００６０】
ステップＳＴ１０で制御部は、ボタン操作が行われたか判別する。制御部３１０は、押しボタンスイッチ３２１の操作が行われたか判別して、押しボタンスイッチ３２１が操作されていないと判別した場合にはステップＳＴ１０に戻り、押下操作が行われたと判別した場合にはステップＳＴ２２に進む。
【００６１】
ステップＳＴ７からステップＳＴ１１に進むと、ステップＳＴ１１で制御部は、割当機能が第２機能であるか判別する。制御部３１０は、押しボタンスイッチ３２１の割当機能が第２機能（オートアップロード動作）である場合はステップＳＴ１２に進み、第２機能でない場合はステップＳＴ１５に進む。
【００６２】
ステップＳＴ１２で制御部は、ボタンを第２の色で点灯する。制御部３１０は待機状態から実行状態への切り換え操作に伴い、押しボタンスイッチ３２１の照明部を第２の色で点灯させてステップＳＴ１３に進む。
【００６３】
ステップＳＴ１３で制御部は、オートアップロード動作を開始する。制御部３１０は、割当機能を待機状態から実行状態に切り換えて、撮像データを自動的に転送するオートアップロード動作を開始してステップＳＴ１４に進む。
【００６４】
ステップＳＴ１４で制御部は、ボタン操作が行われたか判別する。制御部３１０は、押しボタンスイッチ３２１の操作が行われたか判別して、押しボタンスイッチ３２１が操作されていないと判別した場合にはステップＳＴ１４に戻り、押下操作が行われたと判別した場合にはステップＳＴ２２に進む。
【００６５】
ステップＳＴ１１からステップＳＴ１５に進むと、ステップＳＴ１５で制御部は、割当機能が第３機能であるか判別する。制御部３１０は、押しボタンスイッチ３２１の割当機能が第３機能（ストリーミング転送動作）である場合はステップＳＴ１６に進み、第３機能でない場合すなわち第４機能（編集動作）である場合はステップＳＴ１９に進む。
【００６６】
ステップＳＴ１６で制御部は、ボタンを第２の色で点灯する。制御部３１０は待機状態から実行状態への切り換え操作に伴い、押しボタンスイッチ３２１の照明部を第２の色で点灯させてステップＳＴ１７に進む。
【００６７】
ステップＳＴ１７で制御部は、ストリーミング転送動作を開始する。制御部３１０は、割当機能を待機状態から実行状態に切り換えて、撮像中に生成される撮像データを順次転送するストリーミング転送動作を開始してステップＳＴ１８に進む。
【００６８】
ステップＳＴ１８で制御部は、ボタン操作が行われたか判別する。制御部３１０は、押しボタンスイッチ３２１の操作が行われたか判別して、押しボタンスイッチ３２１が操作されていないと判別した場合にはステップＳＴ１８に戻り、押下操作が行われたと判別した場合にはステップＳＴ２２に進む。
【００６９】
ステップＳＴ１９で制御部は、編集動作を開始する。制御部３１０は、割当機能を待機状態から実行状態に切り換えて、転送待ちリストの編集を行う編集動作を開始してステップＳＴ２０に進む。
【００７０】
ステップＳＴ２０で制御部は、転送待ちファイルがあればボタンを第２の色で点灯する。制御部３１０は転送待ちリストに未転送のファイルがある場合、押しボタンスイッチ３２１の照明部を第２の色で点灯させてステップＳＴ２１に進む。
【００７１】
ステップＳＴ２１で制御部は、ボタン操作が行われたか判別する。制御部３１０は、押しボタンスイッチ３２１の操作が行われたか判別して、押しボタンスイッチ３２１が操作されていないと判別した場合にはステップＳＴ２１に戻り、押下操作が行われたと判別した場合にはステップＳＴ２２に進む。
【００７２】
ステップＳＴ２２で制御部は、待機状態への切り換えを行う。制御部３１０は実行状態で押しボタンスイッチ３２１の操作が行われたことから、割当機能を実行状態から待機状態に切り換えてステップＳＴ２３に進む。
【００７３】
ステップＳＴ２３で制御部は、ボタン操作が行われたか判別する。制御部３１０は、押しボタンスイッチ３２１の操作が行われたか判別して、押しボタンスイッチ３２１が操作されていないと判別した場合にはステップＳＴ２３に戻り、押下操作が行われたと判別した場合にはステップＳＴ２４に進む。
【００７４】
ステップＳＴ２４で制御部は、長押し操作であるか判別する。制御部３１０は、押しボタンスイッチ３２１に対する押下操作の操作継続時間が閾値を超えた場合に長押し操作が行われたと判別してステップＳＴ２５に進む。また、制御部３１０は、操作継続時間が閾値を超える前に押下操作が終了した場合には、短押し操作が行われたと判別してステップＳＴ７に戻る。すなわち、制御部３１０は、割当機能を待機状態から実行状態へ切り換えるためにユーザが短押し操作を行った場合にはステップＳＴ７に進み、割当機能を待機状態から停止状態へ戻すためにユーザが長押し操作を行った場合にはステップＳＴ２５に進む。
【００７５】
ステップＳＴ２５で制御部は、停止状態への切り換えを行う。制御部３１０は、割当機能を待機状態から停止状態に切り換える。制御部３１０は、通信部３０７への電力供給を停止してステップＳＴ１に戻る。
【００７６】
なお、撮像装置１０の動作は、図６に示すフローチャートに限られない。例えば割当機能の判別は他の順序で行ってもよい。また、ステップＳＴ２で長押し動作が行われたと判別した場合に、割当機能が第１機能から第４機能の何れであるか判別して、判別した機能を待機状態に切り換えてもよい。この場合、判別した機能が待機状態であるときの短押し操作に応じて、この機能を待機状態から実行状態に切り換える。また、押しボタンスイッチ３２１の割当機能の変更は、割当機能が停止状態である場合に限らず待機状態で変更可能としてもよい。
【００７７】
このような本技術によれば、押しボタンスイッチ３２１に割り当てられた撮像データの通信に関する機能が停止状態である場合には、撮像データの転送を行う通信部に対する電力供給が停止される。したがって、撮像データの転送を行う必要がない場合に、撮像データの転送を行う機能ブロックでの電力消費を防止することが可能となり、バッテリー駆動において長時間動作が可能となる。また、撮像データの通信に関する機能が割り当てられた押しボタンスイッチは、ビューファインダからユーザが目を外すことに応じてユーザの視界に入る装置本体の側面の領域に設けられている。したがって、ユーザは、押しボタンスイッチを容易に視認することができるようになり、例えばビューファインダ等にメニュー画面を表示して撮像データの転送を指示する操作等を行わなくとも、容易に撮像データの転送を行うことが可能となる。また、割当機能の状態が押しボタンスイッチ３２１の照明で示されるので、ユーザは、割当機能がどのような状態であるかを押しボタンスイッチ３２１のインジケータ部３２１ｂによって容易に確認できる。
【００７８】
なお、上述の実施の形態では、撮像データの通信に関する機能を割り当てた操作スイッチが押しボタンスイッチである場合を例示しているが、操作スイッチは押しボタンスイッチに限られない。例えば、操作体を初期位置に復帰させる弾性部材が設けられた自動復帰式スライドスイッチを用いて、スライド操作の操作継続時間に応じて待機状態から停止状態または実行状態への切り換えを行うようにしてもよい。また、割当機能の動作状態に応じた照明部の動作は例示であって、異なる色で照明を行ってもよく、動作状態に応じて異なる駆動を行ってもよい。また、照明とは異なる手法例えば異なる表示方法や音声等を用いてユーザが動作状態を判別できるようにしてもよい。
【００７９】
明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させる。または、各種処理が実行可能な汎用コンピュータにプログラムをインストールして実行させることが可能である。
【００８０】
例えば、プログラムは記録媒体としてのハードディスクやＳＳＤ（Solid State Drive）、ＲＯＭ（Read Only Memory）に予め記録しておくことができる。あるいは、プログラムはフレキシブルディスク、ＣＤ−ＲＯＭ（Compact Disc Read Only Memory），ＭＯ（Magneto optical）ディスク，ＤＶＤ（Digital Versatile Disc）、ＢＤ（Blu-Ray Disc（登録商標））、磁気ディスク、半導体メモリカード等のリムーバブル記録媒体に、一時的または永続的に格納（記録）しておくことができる。このようなリムーバブル記録媒体は、いわゆるパッケージソフトウェアとして提供することができる。
【００８１】
また、プログラムは、リムーバブル記録媒体からコンピュータにインストールする他、ダウンロードサイトからＬＡＮ（Local Area Network）やインターネット等のネットワークを介して、コンピュータに無線または有線で転送してもよい。コンピュータでは、そのようにして転送されてくるプログラムを受信し、内蔵するハードディスク等の記録媒体にインストールすることができる。
【００８２】
なお、本明細書に記載した効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【００８３】
また、本技術の撮像装置は以下のような構成も取ることができる。
（１）  撮像データの通信に関する機能が割り当てられて、前記割り当てられた割当機能の動作状態を切り換えるための操作スイッチと、
前記撮像データの通信を行う通信部と、
前記操作スイッチの操作継続時間に応じて、前記割当機能を、前記通信部への電力供給が停止されている停止状態と前記通信部への電力供給を行い前記撮像データの通信を可能として待機する待機状態と前記撮像データの通信を行う実行状態との間で切り換える制御部と
を備える撮像装置。
（２）  前記制御部は、前記操作スイッチの操作継続時間が予め設定された閾値を超えたとき、前記割当機能を前記停止状態と前記待機状態との間で切り換えを行い、前記待機状態における前記操作継続時間が前記閾値以下であるとき、前記待機状態から前記実行状態への切り換えを行い、前記実行状態における前記操作スイッチの操作に応じて前記実行状態から前記待機状態への切り換えを行う（１）に記載の撮像装置。
（３）  前記操作スイッチの割当機能を変更可能とした（１）または（２）に記載の撮像装置。
（４）  前記操作スイッチに割り当て可能な機能は、前記撮像データの受信側から通信機能制御を受け入れる機能である（１）乃至（３）の何れかに記載の撮像装置。
（５）  前記操作スイッチに割り当て可能な機能は、撮像終了時点で生成した撮像データの転送処理機能である（１）乃至（４）の何れかに記載の撮像装置。
（６）  前記操作スイッチに割り当て可能な機能は、前記撮像データのストリーミング転送機能である（１）乃至（５）の何れかに記載の撮像装置。
（７）  前記操作スイッチに割り当て可能な機能は、前記撮像データの通信に代えて転送候補の前記撮像データを示すリストの編集を行う編集機能である（１）乃至（６）の何れかに記載の撮像装置。
（８）  前記操作スイッチに照明部を設け、
前記制御部は、前記照明部を制御して前記割当機能の状態に応じて前記操作スイッチの照明を切り換える（１）乃至（７）の何れかに記載の撮像装置。
（９）  前記制御部は、前記停止状態である場合に照明を消灯し、前記待機状態である場合に第１の色で照明を行い、前記実行状態である場合に前記第１の色とは異なる第２の色で照明を行う（８）に記載の撮像装置。
（１０）  前記制御部は、前記待機状態と前記実行状態では照明を点灯させて、前記停止状態と前記待機状態間での状態切り換え中は前記照明を点滅させる（８）または（９）に記載の撮像装置。
（１１）  前記操作スイッチは、ビューファインダからユーザが目を外すことに応じて前記ユーザの視界に入る装置本体の側面の領域に設けた（１）乃至（１０）の何れかに記載の撮像装置。
【産業上の利用可能性】
【００８４】
この技術の撮像装置とその制御方法およびプログラムでは、操作スイッチに対して撮像データの通信に関する機能が割り当てられている。また、割り当てられた割当機能の動作状態が、操作スイッチの操作継続時間に応じて、撮像データの通信を行う通信部への電力供給が停止されている停止状態と、通信部への電力供給を行い撮像データの通信を可能として待機する待機状態と、撮像データの通信を行う実行状態と間で切り換えられる。このため、撮像データの通信を行わない場合には割当機能の動作状態を停止状態とすることで省電力化を実現できる。さらに、操作スイッチの操作継続時間に応じて割当機能の動作状態の切り換えを行うことができることから、撮像装置の操作性を向上できる。したがって、ネットワークを介して撮像データを取得して映像コンテンツ等の制作を行うシステムに用いられる撮像装置に適している。
【符号の説明】
【００８５】
１０・・・撮像装置
２０・・・レンズユニット
３０・・・装置本体
３２，３２ａ，３２ｂ・・・操作部
３３・・・ハンドル部
４０・・・記録媒体
６０・・・ビューファインダ
６１・・・アイカップ
７０・・・マイクロフォン
８０・・・バッテリー
９０・・・ネットワーク
９５・・・サーバ
３０１・・・撮像部
３０２・・・画像処理部
３０３・・・音声処理部
３０４・・・コーデック部
３０５・・・記録再生部
３０６・・・レンズ駆動部
３０７・・・通信部
３０８・・・音声出力部
３１０・・・制御部
３１５・・・電源部
３２１，３２２，３２４・・・押しボタンスイッチ
３２１ａ・・・遮光部
３２１ｂ・・・インジケータ部
３２３，３２５，３２６・・・スライドスイッチ
３２７，３２８・・・操作つまみ
【図１】
2020115680.tif 000004
【図２】
2020115680.tif 000005
【図３】
2020115680.tif 000006
【図４】
2020115680.tif 000007
【図５】
2020115680.tif 000008
【図６】
2020115680.tif 000009
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
撮像データのストリーミング転送機能が割り当て可能とされている操作スイッチと、
前記撮像データの無線通信を行う通信部と、
前記操作スイッチで前記ストリーミング転送機能を実行させる操作に応じて前記撮像データの無線通信を前記通信部で行わせる制御部と
を備える撮像装置。
【請求項２】
前記制御部は、予め設定された送信先に前記撮像データを送信させる
請求項１に記載の撮像装置。
【請求項３】
前記操作スイッチに照明部を設け、
前記制御部は、前記照明部を制御して前記ストリーミング転送機能の状態に応じて前記操作スイッチの照明を切り換える
請求項１に記載の撮像装置。
【請求項４】
前記制御部は、前記ストリーミング転送機能が停止状態である場合に照明を消灯し、前記ストリーミング転送機能が待機状態である場合に第１の色で照明を行い、前記ストリーミング転送機能が実行状態である場合に前記第１の色とは異なる第２の色で照明を行う
請求項４に記載の撮像装置。
【請求項５】
前記制御部は、前記待機状態と前記実行状態では照明を点灯させて、前記停止状態と前記待機状態間での状態切り換え中は前記照明を点滅させる
請求項５に記載の撮像装置。
【請求項６】
前記制御部は、前記操作スイッチの操作継続時間に応じて、前記停止状態と前記待機状態と前記実行状態の切り換えを行い、前記停止状態では前記通信部への電力供給を停止する
請求項５に記載の撮像装置。
【請求項７】
前記操作スイッチは、ビューファインダからユーザが目を外すことに応じて前記ユーザの視界に入る装置本体の側面の領域に設けた
請求項１に記載の撮像装置。
【請求項８】
撮像データのストリーミング転送機能を操作スイッチに割り当てることと、
前記撮像データの無線通信を通信部で行うことと、
前記操作スイッチで前記ストリーミング転送機能を実行させる操作に応じて制御部で前記撮像データの無線通信を前記通信部で行わせることと
を含む撮像装置の制御方法。
【請求項９】
撮像装置の制御をコンピュータで実行させるプログラムであって、
前記撮像装置に設けられた操作スイッチに撮像データのストリーミング転送機能を割り当てる手順と、
前記操作スイッチで前記ストリーミング転送機能を実行させる操作に応じて、前記撮像データの無線通信を通信部で行わせる手順と
を前記コンピュータで実行させるプログラム。
【手続補正２】
【補正対象書類名】明細書
【補正対象項目名】０００１
【補正方法】変更
【補正の内容】
【０００１】
この技術は撮像装置とその制御方法およびプログラムに関し、操作性の向上を実現できるようにする。
【手続補正３】
【補正対象書類名】明細書
【補正対象項目名】０００５
【補正方法】変更
【補正の内容】
【０００５】
そこで、この技術では操作性の向上を実現できる撮像装置とその制御方法およびプログラムを提供することを目的とする。
【手続補正４】
【補正対象書類名】明細書
【補正対象項目名】０００６
【補正方法】変更
【補正の内容】
【０００６】
この技術の第１の側面は、
撮像データのストリーミング転送機能が割り当て可能とされている操作スイッチと、
前記撮像データの無線通信を行う通信部と、
前記操作スイッチで前記ストリーミング転送機能を実行させる操作に応じて前記撮像データの無線通信を前記通信部で行わせる制御部と
を備える撮像装置にある。
【手続補正５】
【補正対象書類名】明細書
【補正対象項目名】０００７
【補正方法】変更
【補正の内容】
【０００７】
この技術では、例えばビューファインダからユーザが目を外すことに応じてユーザの視界に入る装置本体の側面の領域に設けた操作スイッチに、撮像データのストリーミング転送機能が割り当てられる。また、この操作スイッチに割り当てられたストリーミング転送機能の動作状態が操作スイッチの操作継続時間に応じて切り換えられる。操作スイッチでストリーミング転送機能を実行させる操作に応じて制御部では撮像データの無線通信を通信部で行わせる。
【手続補正６】
【補正対象書類名】明細書
【補正対象項目名】０００８
【補正方法】変更
【補正の内容】
【０００８】
操作スイッチには照明部が設けられており、ストリーミング転送機能の動作状態に応じて操作スイッチの照明の切り換えが行われる。例えば停止状態である場合に照明が消灯されて、待機状態である場合には第１の色、実行状態である場合には第１の色とは異なる第２の色で照明が行われる。また、待機状態と実行状態では照明が点灯されて、停止状態と待機状態間での状態切り換え中は照明が点滅される。
【手続補正７】
【補正対象書類名】明細書
【補正対象項目名】０００９
【補正方法】変更
【補正の内容】
【０００９】
この技術の第２の側面は、
撮像データのストリーミング転送機能を操作スイッチに割り当てることと、
前記撮像データの無線通信を通信部で行うことと、
前記操作スイッチで前記ストリーミング転送機能を実行させる操作に応じて制御部で前記撮像データの無線通信を前記通信部で行わせることと
を含む撮像装置の制御方法にある。
【手続補正８】
【補正対象書類名】明細書
【補正対象項目名】００１０
【補正方法】変更
【補正の内容】
【００１０】
この技術の第３の側面は、
撮像装置の制御をコンピュータで実行させるプログラムであって、
前記撮像装置に設けられた操作スイッチに撮像データのストリーミング転送機能を割り当てる手順と、
前記操作スイッチで前記ストリーミング転送機能を実行させる操作に応じて、前記撮像データの無線通信を通信部で行わせる手順と
を前記コンピュータで実行させるプログラムにある。
【手続補正９】
【補正対象書類名】明細書
【補正対象項目名】００１３
【補正方法】削除
【補正の内容】
【手続補正１０】
【補正対象書類名】明細書
【補正対象項目名】００８３
【補正方法】削除
【補正の内容】
【手続補正１１】
【補正対象書類名】明細書
【補正対象項目名】００８４
【補正方法】削除
【補正の内容】